(57)【要約】 【発明が解決しようとする課題】  来訪者のバイオメトリクス情報などを使用したドアホンでは、一般にバイオメトリクス情報の登録もしくは、照合用バイオメトリクス情報の取得ではデータの信頼性が低くなってしまう場合があり、システムとして安心して使用することができなかった。【課題を解決するための手段】  来訪者のバイオメトリクス情報、及び比較用の登録されるバイオメトリクス情報の信頼性を保障することとし、在宅者は安心してドアホンからの通知を信用できるものとした。【選択図】 図２
2006211339.tif 000002
【特許請求の範囲】
【請求項１】
（ａ）少なくともバイオメトリクス読取装置、制御部およびバイオメトリクス情報などの個人データを登録しているデータベース部を備えており、バイオメトリクス技術を利用して来訪者のバイオメトリクス情報によってあらかじめに在宅者へ来訪者の情報を通知するドアホンにおいて、
（ｂ）来訪者のバイオメトリクス情報を読取るにあたり、
（ｃ）前記来訪者が新規の者であった場合、所望の基準以上に高品質に生成されたバイオメトリクス情報のみが前記データベース部に登録されることを保障し、
（ｄ）前記来訪者が過去に来訪実績のある者であった場合、所望の基準以上に高品質に生成されたバイオメトリクス情報のみが前記データベース部に登録されているバイオメトリクス情報との比較処理を行うことを保障する、
（ｅ）バイオメトリクス技術を利用したドアホン。
【請求項２】
（ａ）前記データベース部の個人情報ごとに重要度を評価点として入力可能に保持し、
（ｂ）来訪者の重要度が評価点としてあらかじめ在宅者に通知することができる請求項１のバイオメトリクス技術を利用したドアホン。
【発明の詳細な説明】
【技術分野】
【０００１】
本発明は、バイオメトリクス（生体による個人認証）の機能を用いたドアホンに関するものである。
【背景技術】
【０００２】
従来、ドアホンは通知用のボタンを持ちこのボタンを押すと通知先の施設（例えば住宅）のベルが鳴る形態が一般的であった。ドアホンにはボタン以外にマイクやカメラがついたものがあり、これらの機器を用いることにより家の内部の人と声による会話や顔画像（飽くまで人の目による認識）による確認ができるようになっている。さらにテレビカメラによって撮像される来訪者の顔画像を認識し、予めメモリに登録している顔画像と個人照合をし、ＣＰＵで個々の顔画像に対する呼出し音を選定して鳴動させることが可能な、バイオメトリクスを利用したドアホンも考案されている。（例えば、特許文献１参照。）
【特許文献１】特開２０００−２８７１９６号公報
【発明の開示】
【発明が解決しようとする課題】
【０００３】
しかしながら、たとえ上記のようにバイオメトリクスをドアホンに使用しても、画質が悪くて認識が困難であると品質の悪いデータが生成されたり、若しくはカメラの撮影範囲に上手く顔が入っていないといった、来客者の不慣れによる撮像の失敗などにより、全く使い物にならないデータ等が発生してしまう場合があり、このまま品質の劣悪なデータが認証用のデータとして混ざってしまう。このようにデータの品質にバラツキがあるようなシステムはでは、一度データが登録してあるはずの来客者が来ても、新規の来客者としてしまったり、逆に新規の来客者を間違ってパスさせてしまったりといったことが発生する可能性がある。またバイオメトリクスの照合結果を参照して動くアプリケーションなどがあった場合でも照合結果自体が不安定で間違える可能性があるとすると、そのアプリケーションは使い物にならず、ドアホンの処理に使用したとしても、全く使い物にならないドアホンになってしまうという問題点が発生する。
そのためドアホンでバイオメトリクスデータを利用しようとすれば認識用のバイオメトリクスデータ品質はある基準以上のバイオメトリクスが保障されていなければならない。
【課題を解決するための手段】
【０００４】
上記課題を解決するために本発明は、少なくともバイオメトリクス読取装置、制御部およびバイオメトリクス情報などの個人データを登録しているデータベース部を備えており、バイオメトリクス技術を利用して来訪者のバイオメトリクス情報によってあらかじめに在宅来訪者のバイオメトリクス情報を読取るにあたり、前記来訪者が新規の者であった場合、所望の基準以上に高品質に生成されたバイオメトリクス情報のみが前記データベース部に登録されることを保障し、前記来訪者が過去に来訪実績のある者であった場合、所望の基準以上に高品質に生成されたバイオメトリクス情報のみが前記データベース部に登録されているバイオメトリクス情報との比較処理を行うことを保障するようにした。また、そのために、前記データベース部の個人情報ごとに重要度を評価点として入力可能に保持し、来訪者の重要度が評価点としてあらかじめ在宅者に通知することができるバイオメトリクス技術を利用したドアホン可能にした。
【発明の効果】
【０００５】
実施例によれば、ドアホンにバイオメトリクス読取部を設けるとともに、制御部でバイオメトリクスデータの品質向上手段及び品質判定を行ったうえでデータベース部へデータを登録するため、在宅者が来訪者を特定するためのバイオメトリクス情報の取得を確実に済ませたことを保障する。つまり、データベース部に登録されているデータ、及び照合用に来訪者から取得したバイオメトリクス情報は、高品質なデータしかないことを保障する。よって来訪者の誤った個人認証は激減する。
【発明を実施するための最良の形態】
【０００６】
以下に図面を参照して本発明によるバイオメトリクスを利用したドアホンについての実施例を説明する。説明にあたって、バイオメトリクスはアイリス（虹彩）を例に説明するが、勿論発明自体をアイリスに限定するものではない。
また、本実施例によって請求の範囲が限定されるものではない。 
【実施例１】
【０００７】
図１は、本発明のシステム構成及び機能ブロックの図である。ドアの外には来訪者用通話装置１が設置される。
【０００８】
またドア内には、在宅者用通話装置２とアイリス認証機能を制御する制御装置３及び過去の来訪者に関するアイリスを含む個人情報が登録されるデータベース部４が設置される。カメラ１１は、通常のドアホンによる人物確認カメラであり、出力表示部２１によって来訪者の画像を映す。通話部１２、及び通話部２２は来訪者と在宅者が、必要に応じ通話するものである。アイリス読取部１３は来訪者の目(アイリス)を撮影するものであり、来訪者のアイリス情報を取得する。ここでアイリス読取部１３は、来訪者がよく分かる入口の適切な場所に設置する。そして詳細は割愛するが、来訪者が自らの目をアイリス読取部１３にて撮影するように誘導しなければならない。例えば来訪者がドアの前に立つと、センサー検知により図示しない音声発生部から来訪者がカメラ１１にて目の撮影をするように誘導する方法がある。入力操作部２３は通常は、アイリスデータ作成の為の各種の設定を行うことや、データベース部４に来訪者の個人情報の入力を行う。制御装置３のアイリスデータ生成部３１は、前記アイリス読み取り部１３から、アイリス情報を受け取り、アイリスデータを生成する。アイリスデータ品質判定部３２は、生成されたアイリスデータが所望の基準以上の高品質なデータであるか判定する。細目、眼鏡等の影響や悪意による品質低下を除去する機能がある。品質が基準以上に生成されたアイリスデータであり新規の来訪者のものであれば、データベース部４に格納される。通知部３３は、来訪者が来たことを在宅者に通知する。そしてデータベース制御部３４は、データベース部４の制御を行うものである。
【０００９】
図３はデータベース部４の内部形式である。個人のアイリス登録データにそれぞれ、付帯情報として、登録者の氏名や、在宅者との関係などを登録している。
【００１０】
＜実施例１の動作＞
以上説明をした構成に元づき、図２により本願実施例の動作の流れを説明する。
【００１１】
Ｓ１：来訪者がドアの前に来ると、カメラ１１を通してアイリス読取部１３に当該来訪者のアイリス情報を読取らせる。この際に読取った情報は、制御装置３のアイリスデータ生成部に送られる。
【００１２】
Ｓ２：アイリスデータ生成部３１ではアイリス情報を登録用データまたは照合用のデータとしてアイリスデータ形式に生成される。この際、アイリスのデータには品質のばらつきが存在する。
【００１３】
Ｓ３：アイリスデータ品質判定部３２では、このようなアイリス技術に依存する品質のばらつきを判定し、ある一定の基準以上の品質をもったデータが生成されたかどうかを判定する。所望の基準以上の高品質なデータを生成するため、細目、眼鏡等の影響や悪意による品質低下を除去する機能を使いアイリスデータを生成する。
【００１４】
Ｓ４：生成されたアイリスデータが所望の基準値以上であればＳ５へ、基準値を満たさなければ、再度Ｓ１からやり直す。つまり所望の基準値以上の品質でなければ、以降の処理は行わない。
【００１５】
Ｓ５：前記生成されたアイリスデータを照合データとしてデータベース部４に既に登録されている登録アイリスデータと照合する。
【００１６】
Ｓ６：Ｓ５で既存の登録アイリスデータと一致した場合は、Ｓ７へ。不一致の場合はＳ９へ。
【００１７】
Ｓ７：過去の来訪者と同一人物であることが判明したのでこの際、データベース部４からその来訪者の付帯情報（氏名等）を取り出しておく。
【００１８】
Ｓ８：通知部３３を通して出力表示部２１、通話部２２を用いて在宅者に来訪者の来訪を通知する。この際、先の来訪者の付帯情報（氏名等）も在宅者に併せて通知する。
【００１９】
Ｓ９：Ｓ６で既存の登録アイリスデータと一致しなかった場合はデータベース部４に新規データに登録アイリスデータとして格納する。
【００２０】
Ｓ１０：通知部３３を通して出力表示部２１、通話部２２を用いて在宅者に来訪者の来訪を通知する。この際には、新規の来訪者であるとして在宅者が判るように通知する。
【００２１】
Ｓ１１：在宅者は来訪者と通話部２２などによって対応する。
【００２２】
Ｓ１２：新規来訪者の場合は、在宅者は来訪者の付帯情報を新規にデータベース部３２に入力する。また過去に来訪暦のあった来訪者の場合は、付帯情報を更新することも可能である。尚、付帯情報入力の時等は、入力操作部２３を用いて入力する。
【００２３】
以上のように実施例１によれば、来訪者のアイリスデータを必ず制御装置３により品質確認を行い、所望の基準値以上のデータしか取り入れないため来訪者の確実な判定が保障される。その為在宅者は来訪者通知とともに、来訪者が誰であるかを（新規であれば新規の来訪者であることを）確実に間違いなく事前に知ることが可能となる。また在宅者は当該ドアホンを信頼することができ、安心感をもって来訪者への対応ができるようになる。また、本実施例のようにアイリス等、非接触タイプのバイオメトリクスを使用する場合には、来訪者は、ドアホンに触れることなく在宅者を呼び出すことができる。
【実施例２】
【００２４】
システム構成及び機能ブロックは実施例１とほぼ同一であるが、データベース部４の構成のみ異なる。即ち、図４はデータベース部３２の内部形式である。個人のアイリス登録データにそれぞれ、付帯情報として、登録者の氏名や、在宅者との関係などを登録している他に顧客毎の重要度を「評価点」として入力保持している。
【００２５】
例えば、在宅者等は、新規の来訪者との対応を終えた後などに、当該来訪者の次回からの扱いの重要性を「評価点」としてデータベース部４に入力する。第４図では例として、評価を１０点満点で表し、９〜１０点は最重要来訪者、７〜８点は重要来訪者、・・・２〜３点は非重要来訪者、０〜１点は招かざる来訪者としている。
【００２６】
＜実施例２の動作＞
以上のような構成が追加されたことにより、実施例２の動作は実施例１に比べて、来訪者の訪問を在宅者に通知する際に同時に来訪者の重要度（もしくは評価点）を通知する動作が加わることになる。
【００２７】
以上のように実施例２によれば、来訪者に対する評価点を事前に入力しておき、再訪問以降はこの評価点を参照することで、重要顧客・非重要顧客などの違いを在宅者に対して通知することができる。
【図面の簡単な説明】
【００２８】
【図１】本発明のシステム構成及び機能ブロック図
【図２】実施例１の動作フロー図
【図３】実施例１における来訪者情報のデータベース
【図４】実施例２における来訪者情報のデータベース
【符号の説明】
【００２９】
１      来訪者用通話装置
２      在宅者用通話装置
３      制御装置
４      データベース部  
１１    カメラ
１２    通話部  
１３    アイリス読取部
２１    出力表示部
２２    通話部
２３    入力操作部
３１    アイリスデータ生成部
３２    アイリスデータ品質判定部
３３    通知部
３４    データベース制御部
【図１】
2006211339.tif 000003
【図２】
2006211339.tif 000004
【図３】
2006211339.tif 000005
【図４】
2006211339.tif 000006